(57)【要約】【課題】  施工性の改善が可能な分電盤を提供する。【解決手段】  前面に収納凹部が開口したハウジング４と、外部から導入された電線が接続されるブレーカなどの内部機器を収納凹部内に保持する保持体２とを備える。ハウジング４は、収納凹部の底面を構成して保持体２が固定されるとともに施工面に固定される底板４１と、底板４１に着脱自在に結合して収納凹部の内周面を構成する角筒形状の枠体４２とを有する。収納凹部の内周面を構成する枠体４２が取り外された状態で配線作業を行うことで配線作業が容易となるから、施工性の改善が可能である。【選択図】図１
2012135101.tif 000002
【特許請求の範囲】
【請求項１】
前面に収納凹部が開口するとともに後面を施工面に向けて前記施工面に固定されるハウジングと、前記ハウジングに固定されるとともに少なくとも１個の内部機器を前記収納凹部内に保持する保持体とを備え、
前記ハウジングは、前記収納凹部の底面を構成して前記保持体が固定されるとともに前記施工面に固定される底板と、前記底板に着脱自在に結合して前記収納凹部の内周面を構成する枠体とを有することを特徴とする分電盤。
【請求項２】
前記保持体に固定されるとともに接地線が接続される接地端子台を備えることを特徴とする請求項１記載の分電盤。
【発明の詳細な説明】
【技術分野】
【０００１】
本発明は、分電盤に関するものである。
【背景技術】
【０００２】
従来から、図５に示すように、前面に収納凹部４０が開口するとともに後面を壁面等の施工面（図示せず）に向けて施工面に固定されるハウジング４を備える分電盤が提供されている（例えば、特許文献１参照）。収納凹部４０内には、収納凹部４０の外側から導入された電線（図示せず）が接続される内部機器としての複数個のブレーカ１ａ，１ｂと接地端子台３とが収納及び固定されている。ハウジング４には、ブレーカ１ａ，１ｂや接地端子台３に接続される電線（図示せず）を外部から収納凹部４０内に導入するための複数個の電線挿通部４２１が設けられている。各電線挿通部４２１は、それぞれ例えば、除去されたときに収納凹部４０の内外を連通させる貫通穴が形成されるようなノックアウト部からなる。
【０００３】
また、図５の分電盤は、複数個のブレーカ１ａ，１ｂが直線状に並べて固定された保持体２を備え、この保持体２がハウジング４に固定されることで、複数個のブレーカ１ａ，１ｂと接地端子台３とがそれぞれ収納凹部４０内に収納及び固定されている。
【０００４】
さらに、図５の分電盤は、前方から見て各ブレーカ１ａ，１ｂをそれぞれ露出させる窓穴５０を有してハウジング４の前側に取り付けられるカバー５と、カバー５に結合して窓穴５０を開閉する扉体６とを備える。
【先行技術文献】
【特許文献】
【０００５】
【特許文献１】特開２００４−６４８６９号公報
【発明の概要】
【発明が解決しようとする課題】
【０００６】
この種の分電盤では、電線を各ブレーカ１ａ，１ｂや接地端子台３に接続する作業は、ハウジング４を施工面に固定した状態で行われる。しかしながら、上記の接続作業の際にハウジング４において収納凹部４０の内周面を構成する部位（図５での上下左右の壁）が邪魔になるため、施工性が悪かった。
【０００７】
本発明は、上記事由に鑑みて為されたものであり、その目的は、施工性の改善が可能な分電盤を提供することにある。
【課題を解決するための手段】
【０００８】
本発明の分電盤は、前面に収納凹部が開口するとともに後面を施工面に向けて前記施工面に固定されるハウジングと、前記ハウジングに固定されるとともに少なくとも１個の内部機器を前記収納凹部内に保持する保持体とを備え、前記ハウジングは、前記収納凹部の底面を構成して前記保持体が固定されるとともに前記施工面に固定される底板と、前記底板に着脱自在に結合して前記収納凹部の内周面を構成する枠体とを有することを特徴とする。
【０００９】
この分電盤において、前記保持体に固定されるとともに接地線が接続される接地端子台を備えていてもよい。
【発明の効果】
【００１０】
本発明によれば、収納凹部の内周面を構成する枠体が取り外された状態で内部機器への配線作業を行うことで配線作業が容易となるから、施工性の改善が可能である。
【図面の簡単な説明】
【００１１】
【図１】本発明の実施形態のハウジングの構造を示す説明図である。
【図２】（ａ）〜（ｃ）はそれぞれ同上の保持体にブレーカと接地端子台とが取り付けられた状態を示し、（ａ）は正面図、（ｂ）は平面図、（ｃ）は右側面図である。
【図３】同上の保持体にブレーカと接地端子台とが取り付けられた状態を示す斜視図である。
【図４】同上の保持体のベースを示す斜視図である。
【図５】従来例を示す分解斜視図である。
【発明を実施するための形態】
【００１２】
以下、本発明を実施するための最良の形態について、図面を参照しながら説明する。
【００１３】
本実施形態の基本構成は図５で説明した従来例と共通であるので、共通する部分については説明を省略する。
【００１４】
本実施形態は、図２及び図３に示すように、電源（図示せず）からの給電路を開閉する主幹ブレーカ１ａと、それぞれ主幹ブレーカ１ａを介して上記の電源に接続されるともに負荷（図示せず）毎の給電路を開閉する複数個の分岐ブレーカ１ｂとを備える。
【００１５】
また、本実施形態は、各ブレーカ１ａ，１ｂがそれぞれ固定された保持体２を備える。
【００１６】
以下、上下左右は図２（ａ）を基準とし、図２（ｂ）の下上方向を前後方向と呼ぶ。
【００１７】
保持体２は、図４に示すように左右に長く前後に扁平なベース２１と、ベース２１の右端部の前側に結合するとともに各分岐ブレーカ１ｂがそれぞれ前側に取り付けられた分岐取付部２２と、分岐取付部２２の左側においてベース２１の前側に結合して主幹ブレーカ１ａが前側に取り付けられた主幹取付部２３とを有する。また、ベース２１の左端部には、電力会社との契約に応じて主幹ブレーカ１ａの前段に接続されるリミッター（図示せず）が取り付けられるリミッター取付部２４が設けられている。ベース２１と主幹取付部２３とはそれぞれ例えば金属板からなる。ベース２１にはベース２１の固定用のねじ等を挿通することができる穴が多数設けられている。ベース２１の固定時には、上記の多数の穴から実際に使用する穴を適宜選択することができるから、上記の穴が必要最低限の個数しか設けられていない場合に比べて固定対象の自由度が高くなっている。例えば、金属製の支柱のような固い部分と、木ねじ（図示せず）をねじ込むことができる木材等の柔らかい部分とが混在する固定対象（図示せず）に木ねじを用いてベース２１が固定される場合、木ねじを通す穴としては、上記の穴のうち柔らかい部分に重なる穴だけを選択することができる。
【００１８】
分岐取付部２２はドイツ連邦規格（ＤＩＮ）に準拠した上下２列のレール２２１を有しており、各分岐ブレーカ１ｂはそれぞれドイツ連邦規格（ＤＩＮ）に準拠した外形であってレール２２１に着脱可能に取り付けられる。なお、レール２２１や分岐ブレーカ１ｂはドイツ連邦規格（ＤＩＮ）以外の規格に準拠したものであってもよいし、他の構造（例えば単なる嵌合）によって互いに着脱自在に結合するものであってもよい。上記のようなレール２２１及び分岐ブレーカ１ｂは周知技術で実現可能であるので、詳細な説明は省略する。
【００１９】
分岐取付部２２と主幹取付部２３とをそれぞれベース２１に固定する方法、並びに、主幹ブレーカ１ａを主幹取付部２３に固定する方法としては、それぞれ例えばねじ止めを用いることができる。
【００２０】
さらに、分岐取付部２２の上下両端部には、それぞれ３個ずつの接地端子台３が左右に並べて固定されている。各接地端子台３にはそれぞれ６本ずつの電線（図示せず）を接続可能となっている。各接地端子台３は、それぞれ、一端が接地されて外部から導入された電線である接地線（図示せず）の他端や、一端が負荷に接続されて外部から導入された電線である接地線（図示せず）の他端が接続される。つまり、接地端子台３に接続された負荷を、接地端子台３を介して接地することができる。各ブレーカ１ａ、１ｂや接地端子台３において電線が接続される端子としては、例えば速結端子やねじ端子など、周知の端子を用いることができる。
【００２１】
ここで、分岐取付部２２は左右の端部のみで固定されている。これにより、分岐取付部２２においてレール２２１が設けられた部位の後面とベース２１の前面との間には、上下に開口した配線スペース２２０が形成されている。すなわち、分岐ブレーカ１ｂや接地端子台３に接続される電線を上下の一方側にしか引き出すことができない場合であっても、上記の配線スペース２２０に電線を通すことができるから、分岐ブレーカ１ｂや接地端子台３の前側に電線を通す必要が無い。例えば、全ての電線が下方に引き出される場合には上側の分岐ブレーカ１ｂや上側の接地端子台３に接続された電線を配線スペース２２０に通すことができ、全ての電線が上方に引き出される場合には下側の分岐ブレーカ１ｂや下側の接地端子台３に接続された電線を配線スペース２２０に通すことができる。
【００２２】
また、本実施形態において、ハウジング４は、図１に示すように、収納凹部４０の底面（後側の内面）を構成して保持体２が固定されるとともに施工面に固定される底板４１と、底板４１に着脱自在に結合して収納凹部４０の内周面（上下左右の内面）を構成する角筒形状の枠体４２とを有する。
【００２３】
本実施形態の施工時には、まず、底板４１と保持体２とを介して各ブレーカ１ａ，１ｂと接地端子台３とがそれぞれ施工面に固定された状態、すなわち、底板４１から枠体４２が取り外されている状態で、各ブレーカ１ａ，１ｂや接地端子台３への配線作業を行う。その後に底板４１に対して枠体４２を結合させてハウジング４を構成し、その後に図５の従来例と同様のカバー５及び扉体６をハウジング４の前側に取り付ける。上記の各部品を相互に結合させる方法としては、例えば凹凸係合やねじ止めなどの周知の手段を適宜用いることができる。
【００２４】
上記構成によれば、収納凹部４０の内周面を構成する枠体４２が取り外された状態で配線作業を行うことで配線作業が容易となるから、施工性の改善が可能である。
【００２５】
なお、収納凹部４０の内周面を構成する部位である枠体４２に、図５の従来例のように収納凹部４０の内外に跨る電線（図示せず）が挿通される電線挿通部４２１を設ける場合、電線は枠体４２の後方から電線挿通部４２１に導入されることになるので、電線挿通部４２１は電線を後方から導入可能なものとする必要がある。例えば、電線挿通部４２１がノックアウト部である場合、そのノックアウト部が除去されたときに形成される穴は、後方に開放された切り欠き状である必要がある。
【符号の説明】
【００２６】
１ａ  主幹ブレーカ（内部機器）
１ｂ  分岐ブレーカ（内部機器）
２  保持体
３  接地端子台
４  ハウジング
４１  底板
４２  枠体
【図１】
2012135101.tif 000003
【図２】
2012135101.tif 000004
【図３】
2012135101.tif 000005
【図４】
2012135101.tif 000006
【図５】
2012135101.tif 000007